(57)【要約】【目的】インターネットに接続できない携帯端末で動画ファイル再生するユーザに対して効果的な広告提供装置及び広告提供方法を、提供する。【解決手段】  サーバ装置１は、ユーザの視聴者ＩＤ，動画クリエータのクリエータＩＤ，広告コンテンツ２２２のＵＲＬを含むＱＲコード１２４２を作成する。そして、サーバ装置１は、このＱＲコード１２４２を動画ファイル１２４に組み込んで、該動画ファイル１２４をユーザ端末３へ送信する。そして、ユーザ端末３から動画再生携帯端末４へ、該動画ファイル１２４を転送する。【選択図】  図１
2007233844.tif 000002
【特許請求の範囲】
【請求項１】
複数のユーザ端末とインターネットを介して通信し、前記ユーザ端末からのリクエストに応じて、動画を画面に表示させるための動画データを格納した動画ファイルを、前記各ユーザ端末に送信する広告提供装置であって、
前記動画データによる動画とともに、特定広告のインターネット上における所在を示す所在情報をコード化してなるイメージを画面に表示させるためのコード情報が組み込まれた前記動画ファイルを保持する保持手段と、
前記ユーザ端末からリクエストされた前記動画ファイルを、前記ユーザ端末へ送信する動画ファイル送信手段とを備えた
ことを特徴とする広告提供装置。
【請求項２】
前記コード情報を含まないが特定の広告の所在情報が登録されている状態の前記動画ファイルを格納する格納手段と、
前記ユーザ端末から何れかの動画データを指定したリクエストがあった時に、指定された動画ファイルを前記格納手段から読み出し、この動画ファイルに登録されている所在情報をコード化して前記コード情報を生成し、このコード情報を前記動画ファイルに組み込んだ後に、前記保持手段に一時的に保持させる動画ファイル加工手段と
を更に備えたことを特徴とする請求項１記載の広告提供装置。
【請求項３】
前記コード情報を含まない状態の前記動画ファイルを格納する格納手段と、
前記ユーザ端末から何れかの動画データを指定したリクエストがあった時に、指定された動画ファイルを前記格納手段から読み出し、この動画ファイルに格納されている動画データによる動画を形態要素解析し、その動画中に含まれる物に近似した商品についての広告の所在情報を検索し、この所在情報をコード化して前記コード情報を生成し、このコード情報を前記動画ファイルに組み込んだ後に、前記保持手段に一時的に保持させる動画ファイル加工手段と
を更に備えたことを特徴とする請求項１記載の広告提供装置。
【請求項４】
前記所在情報は、前記特定商品の広告が公開されているウェブサイトのＵＲＬである
ことを特徴とする請求項１乃至３の何れかに記載の広告提供装置。
【請求項５】
複数のユーザ端末とインターネットを介して通信可能なサーバ装置が、前記ユーザ端末からのリクエストに応じて、動画を画面に表示させるための動画データを格納した動画ファイルを、前記各ユーザ端末に送信する広告提供方法であって、
前記動画データによる動画とともに、特定広告のインターネット上における所在を示す所在情報をコード化してなるイメージを画面に表示させるためのコード情報が組み込まれた前記動画ファイルを、保持する手順と、
前記ユーザ端末から前記動画ファイルをリクエストされた場合には、前記動画ファイルを前記ユーザ端末へ送信する手順とを、前記サーバ装置に実行させる
ことを特徴とする広告提供方法。
【発明の詳細な説明】
【技術分野】
【０００１】
本発明は、インターネットに接続できない携帯端末で動画ファイル再生するユーザに広告を提供するための広告提供装置及び広告提供方法に関する。
【背景技術】
【０００２】
従来、インターネットを利用して動画配信サイト上で公開されている動画ファイルを自らのコンピュータにダウンロードするとともに、ダウンロードした動画ファイルを自らの端末上で再生することが、普及している（特許文献１参照）。
【０００３】
また、近年では、動画ファイルを再生可能ではあるがインターネットには接続することができない携帯端末が、普及している。このような携帯端末は、一般的なコンピュータとクレードル等を介して接続可能であり、この状態において接続されたコンピュータに保存されている動画ファイルをダウンロードすることができる。このようにして、自らのコンピュータから携帯端末に動画ファイルをダウンロードした後には、該携帯端末を携帯すれば、ユーザは、外部（ユーザのコンピュータから離れた場所）でも動画ファイルを再生することができる。
【特許文献１】特開２００４−２２２１２４号公報
【発明の開示】
【発明が解決しようとする課題】
【０００４】
ところで、ユーザに対して動画ファイルを提供することを目的として多数の動画ファイルを公開している動画配信サイトを運営するコンテンツプロバイダは、広告が付いた動画ファイルを公開することによって、広告主から広告掲載による報酬を得ている。
【０００５】
なお、この場合には、広告主からの依頼を受けたコンテンツプロバイダは、動画ファイルを作成する動画クリエータに、広告が付いた動画ファイルを作成することを促す。このようにして促された動画クリエータは、インターネットに接続可能な環境で動画ファイルが再生されることを前提として、広告が付いた動画ファイルを作成する。具体的には、動画クリエータは、動画ファイルの動画中で示される商品の宣伝を行っているホームページのＵＲＬを動画ファイルに組み込むことを行う。そして、動画クリエータは、作成した広告つきの動画ファイルを、コンテンツプロバイダへ提供する。
【０００６】
このようにして生成された動画データがコンテンツプロバイダにより運営されている動画配信サイト上で公開されていると、ユーザは、自らのコンピュータに当該動画ファイルをダウンロードした後には、ウェブブラウザの機能により、該動画ファイルに組み込まれたＵＲＬへアクセスすることができる。即ち、広告主は、インターネットを介して配布される動画ファイルによって、効果的な宣伝効果を期待できる。
【０００７】
しかしながら、インターネットに接続できない携帯端末でこの動画ファイルを再生するユーザは、該携帯端末ではその商品の宣伝を行っているホームページに直接アクセスすることができないため、その商品に関する詳細な情報をその場で取得することができないという問題があった。逆にいえば、コンテンツプロバイダ（及び動画クリエータ）は、インターネットに接続できない携帯端末でこの動画ファイルを再生するユーザを、広告主が宣伝を行っているホームページへ導くことができないという問題があった。即ち、広告主からすると、上記の方法では、インターネットに接続できない携帯端末でこの動画ファイルを再生するユーザに対して、宣伝効果が期待できないという問題があった。
【０００８】
本発明は、このような点に鑑みてなされたものであり、その課題は、インターネットに接続できない携帯端末で動画ファイル再生するユーザに対して効果的な広告提供装置及び広告提供方法を提供することにある。
【課題を解決するための手段】
【０００９】
上記課題を解決するために案出された本発明による広告提供装置は、複数のユーザ端末とインターネットを介して通信し、前記ユーザ端末からのリクエストに応じて、動画を画面に表示させるための動画データを格納した動画ファイルを、前記各ユーザ端末に送信する広告提供装置であって、前記動画データによる動画とともに、特定広告のインターネット上における所在を示す所在情報をコード化してなるイメージを画面に表示させるためのコード情報が組み込まれた前記動画ファイルを保持する保持手段と、前記ユーザ端末からリクエストされた前記動画ファイルを、前記ユーザ端末へ送信する動画ファイル送信手段とを備えたことを、特徴とする。
【００１０】
このように構成された広告提供装置を利用すると、動画ファイル配信サイトを運営するコンテンツプロバイダは、動画再生時に所在情報がコード化されたイメージが表示される動画ファイルを、ユーザ端末に送信することができる。
【００１１】
この動画ファイルをユーザ端末にダウンロードしたユーザは、当該動画ファイルを、そのまま再生しても良いが、動画ファイルを再生可能な携帯端末（以下、動画再生携帯端末という）に転送することができる。そして、動画再生携帯端末によってこの動画ファイルを再生すると、動画と同時に所在情報がコード化されたイメージが表示されることになる。そのため、ユーザは、このコード化されたイメージを解読可能且つネットワーク接続可能な携帯端末（以下、解読用携帯端末という）を用いれば、この解読用携帯端末にコード化されたイメージを読み取らせることによって、コード化された所在情報を解読させることができる。さらに、ユーザは、このようにして所在情報を解読させた後には、この解読用携帯端末によって、所在情報によって示されるインターネット上の特定の広告にアクセスすることができる。
【００１２】
従って、動画再生端末がインターネットに接続できなくても、ユーザは、解読用携帯端末によって、広告にアクセスすることができるようになる。換言すれば、コンテンツプロバイダは、インターネットに接続できない動画再生携帯端末によって動画ファイルを再生するユーザを、広告に導くことができるようになる。即ち、広告を実施している広告主からすると、インターネットに接続できない動画再生携帯端末によって動画ファイルを再生するユーザに対しても、有効な広告効果を期待できるようになる。
【００１３】
なお、動画ファイルは、保持手段に保持された時点で動画データとコード情報とを有していればよく、例えば、広告提供装置内に最初からコード情報が組み込まれた動画ファイルがあってもよいし、ユーザ端末からのリクエスト後に広告提供装置が動画ファイルにコード情報を組み込むようにしてもよい。
【００１４】
また、広告提供装置は、前記コード情報を含まないが特定の広告の所在情報が登録されている状態の前記動画ファイルを格納する格納手段と、前記ユーザ端末から何れかの動画データを指定したリクエストがあった時に、指定された動画ファイルを前記格納手段から読み出し、この動画ファイルに登録されている所在情報をコード化して前記コード情報を生成し、このコード情報を前記動画ファイルに組み込んだ後に、前記保持手段に一時的に保持させる動画ファイル加工手段とを、更に備えていてもよい。
【００１５】
このように構成されると、ユーザ端末からのリクエスト後にコード情報が動画ファイルに組み込まれるため、コンテンツプロバイダは、サーバ装置の格納手段にコード情報が組み込まれる前の動画ファイルを格納しておけばよいことになる。
【００１６】
また、広告提供装置は、前記コード情報を含まない状態の前記動画ファイルを格納する格納手段と、前記ユーザ端末から何れかの動画データを指定したリクエストがあった時に、指定された動画ファイルを前記格納手段から読み出し、この動画ファイルに格納されている動画データによる動画を形態要素解析し、その動画中に含まれる物に近似した商品についての広告の所在情報を検索し、この所在情報をコード化して前記コード情報を生成し、このコード情報を前記動画ファイルに組み込んだ後に、前記保持手段に一時的に保持させる動画ファイル加工手段とを更に備えていてもよい。
【００１７】
このように構成されると、動画ファイル中で紹介されている物に近似した商品についての広告の所在情報が自動的に検索され、広告の所在情報が見つかった時にはその所在情報が動画ファイルに登録される。そのため、コンテンツプロバイダ（又は、動画ファイルを作成した動画クリエータ）は、動画ファイルを格納手段に格納した時点（動画ファイルの作成時）では動画中に含まれる物に近似した商品についての広告の所在情報が分からなくても、広告の所在情報に関するコード情報を含む動画ファイルを、ユーザ端末に送信することができるようになる。
【００１８】
なお、前記所在情報は、前記特定商品の広告が公開されているウェブサイトのＵＲＬ又はＩＰアドレスであってもよい。また、コード化されたイメージは、バーコードであってもよい。なおバーコードには、一次元のバーコードと二次元のバーコードとが含まれる。また、バーコードは独自規格のバーコードであっても良い。また、二次元のバーコードはＱＲコードであってもよい。
【００１９】
また、上記課題を解決するために案出された本発明による広告提供方法は、複数のユーザ端末とインターネットを介して通信可能なサーバ装置が、前記ユーザ端末からのリクエストに応じて、動画を画面に表示させるための動画データを格納した動画ファイルを、前記各ユーザ端末に送信する広告提供方法であって、前記動画データによる動画とともに、特定広告のインターネット上における所在を示す所在情報をコード化してなるイメージを画面に表示させるためのコード情報が組み込まれた前記動画ファイルを、保持する手順と、前記ユーザ端末から前記動画ファイルをリクエストされた場合には、前記動画ファイルを前記ユーザ端末へ送信する手順とを、前記サーバ装置に実行させることを特徴とする。
【発明の効果】
【００２０】
以上説明したように、本発明によれば、インターネットに接続できない携帯端末で動画ファイル再生するユーザに対して効果的な広告提供装置及び広告提供方法を提供することができる。
【発明を実施するための最良の形態】
【００２１】
以下、図面に基づいて、本発明による広告提供装置の実施の形態を、説明する。
（システム構成）
図１は、本発明の一実施形態としての広告提供装置の実施の形態であるネットワークシステムのブロック図である。この図１に示されるように、このネットワークシステムは、動画配信サイトを運営するコンテンツプロバイダが管理運営するサーバ装置１と、広告主（又は、販売店舗を経営する販売主等）によって運営されており、サーバ装置１及びユーザ端末３からネットワークＮを介してアクセス可能な多数の（図１においては一つのみ図示）外部サーバ装置２と、インターネットＮを介して上記サーバ装置１に接続された多数（図１においては一つのみ図示）のユーザ端末３と、ユーザ端末３に接続されたクレードル５と、このクレードル５上に載置される携帯端末４と、移動電話網Ｍ及びインターネットＮを介して外部サーバ装置２に接続可能な携帯電話６と、インターネットＮを介して上記サーバ装置１に接続された多数（図１においては一つのみ図示）の動画クリエータ端末７とから、構成されている。なお、図１において、インターネットＮは、二ヶ所に分かれて示されているが、これは図示の都合に依るものであり、実際には、一つのネットワークである。
【００２２】
サーバ装置１は、実際には、複数のサーバ装置（コンピュータ）から構成されており、コンテンツ提供サービスを実行するコンテンツサーバの機能を果たすもの、認証サーバの機能を果たすもの、ＱＲコード（コード情報に相当）を作成する機能を果たすもの、動画ファイルとＱＲコードとを合成する機能を果たすもの等が、含まれている。但し、ここでは、説明を簡略化させるために、これらの機能が、一台のコンピュータによって実現されているものとして、説明を行う。
【００２３】
このサーバ装置１としてのコンピュータは、制御装置としてのＣＰＵ１１，記憶媒体としてのディスク装置１２（格納手段に相当），ＣＰＵ１１が処理を実行する際に作業領域として用いられるＲＡＭ１３（保持手段に相当）等のハードウェアを備えている。そして、ディスク装置１２には、ＣＰＵ１１に読み取られて実行されることによってこのＣＰＵ１１をコンテンツサーバ（動画ファイル送信手段に相当）として機能させるコンテンツサーバプログラム１２０，サーバ１装置へアクセスしてきたユーザを特定する認証サーバとしてＣＰＵ１１を機能させる個人認証・特定サーバプログラム１２１，ＱＲコードを作成するＱＲ作成サーバ（動画ファイル加工手段に相当）としてＣＰＵ１１を機能させるＱＲ作成サーバプログラム１２２，ＱＲコードと動画ファイルとを合成する動画作成サーバ（動画ファイル加工手段に相当）としてＣＰＵ１１を機能させる動画作成サーバプログラム１２３，及び、ユーザに提供されるコンテンツとしての多数の動画ファイル１２４が、格納されている。なお、動画ファイル１２４の構成，及び、ディスク装置１２に動画ファイル１２４が蓄積される流れについては、後で詳しく説明する。また、各プログラムの動作は、図３を参照して、後で詳しく説明する。
【００２４】
外部サーバ装置２は、サーバ１装置と同様なハードウェア構成を備えており、制御装置としてのＣＰＵ２１，記憶媒体としてのディスク装置２２等のハードウェアを備えている。そして、ディスク装置２２には、ＣＰＵ２１に読み取られて実行されることによってこのＣＰＵ２１を広告コンテンツサーバとして機能させるサーバプログラム２２１と、広告を含むコンテンツとしての広告コンテンツ２２２とが、格納されている。
【００２５】
ユーザ端末３は、インターネット接続機能を有した通常のパーソナルコンピュータであり、インターネットＮを介してサーバ装置１へ動画ファイルの要求を行うためのクライアントソフト３３等のプログラムを格納するとともに、ダウンロードした動画ファイル等のデータを保存するディスク装置３２，これらプログラムに従った処理を実行するＣＰＵ３０，このＣＰＵ３０による処理結果を表示するためのディスプレイ３１及びこのＣＰＵ３０に対して各種コマンドやデータを入力するために用いられる入力装置（キーボード，マウス等）３４，クレードル５等の周辺機器を接続するための外部ポート３５や、図示せぬ通信ハードウェア等から、構成されている。
【００２６】
クレードル５は、ユーザ端末３と携帯端末４とを接続するための装置であり、外部ポート３に接続可能なコネクタ５１が設けられたケーブル５２と、携帯端末４を載置するための載置部５３とを、備えている。なお、このクレードル５のコネクタ５１がユーザ端末３の外部ポート３５に接続された状態において、携帯端末４が載置部５３に載置されたときには、ユーザ端末３と携帯端末４とが通信可能な状態になり、両者の間でデータの送受信を行うことができるようになる。
【００２７】
携帯端末４は、動画ファイルを再生することができるとともに、携帯性を高めるために全体がコンパクトな大きさ（手の平くらいのサイズ）に設計された端末である。この携帯端末４は、図４（ａ），（ｂ）に示すように、動画表示手段としての液晶４１と入力手段としての操作パネル４０とを備えており、さらに、動画ファイル等のデータを格納するための図示せぬディスク装置４２を、その内部に備えている。具体的には、携帯端末４は、クレードル５を介してユーザ端末３のディスク装置３２に格納された動画ファイル１２４をダウンロードすることができ、ダウンロードした動画ファイル１２４を液晶４１上で再生することができる（図４（ａ）参照）。また、携帯端末４は、動画ファイル１２４の再生後には、該動画ファイル１２４において紹介された商品のサムネイルを表示することもできる（図４（ｂ）参照）。なお、携帯端末４の動画表示手段は、液晶に限られる必要はななく、動画，画像等を表示することができればどのようなものであってもよい（例えば、有機ＥＬ等であってもよい）。また、携帯端末４の入力手段は、操作パネルに限られる必要はなく、携帯端末４に指示入力を行うことができればどのようなものであってもよい（例えば、音声入力による指示用のマイク等であってもよい）。
【００２８】
携帯電話６は、例えば、インターネットへ接続する機能を有するカメラ付き携帯電話であり、ＱＲコードをそのカメラにより読み取ると、このＱＲコードによって指定されたホームページ（外部サーバ装置２）へアクセスすることができる。なお、本実施形態では携帯電話６を用いているが、インターネットへ接続する機能を有するとともに、ＱＲコードを読み取ってそのＱＲコードを解読することができる機能を有していれば、携帯電話に限られることはなく、どのような機器であってもよい。
【００２９】
動画クリエータ端末７は、インターネット接続機能を有した通常のパーソナルコンピュータであり、制御装置としてのＣＰＵ７１，記憶媒体としてのディスク装置７２等のハードウェアを備えている。そして、ディスク装置７２には、動画ファイル１２４を作成するための動画ファイル作成ソフト７３と、インターネットＮを介してサーバ装置１へ動画ファイル１２４を送信するための動画ファイル送信ソフト７４とが、格納されている。
（動画ファイル１２４の構成）
本実施形態で用いられる動画ファイル１２４には、ユーザ端末３，及び携帯端末４によって再生される動画自体を構成する動画データが格納されていて、更に、動画データ以外の情報が設定，登録され得る。
【００３０】
具体的には、動画ファイル１２４には、動画データ以外の情報として、広告コンテンツ２２２のＵＲＬ（所在情報に相当），サーバ装置１に対してＱＲコードの自動付与を求める旨の情報（以下、「自動付与設定」という），当該動画データを作成した動画クリエータのクリエータＩＤ（動画クリエータの識別情報）等の情報が、設定，登録され得る。なお、これらの情報は、ＸＭＬ等のタグを利用して、動画ファイル中に格納されており、動画クリエータ端末７の動画作成ソフト７３に従って、動画ファイル１２４の作成時に設定，登録可能となっている（以下、これらの情報が登録されているデータ領域を「ＸＭＬ領域」という）。また、上記の情報を動画ファイル１２４中に設定，登録可能であれば、ＸＭＬのタグ以外のデータ形式を利用してもよい。
【００３１】
なお、動画クリエータは、１つの動画ファイル１２４中の動画データにより複数の商品を紹介する場合には、動画作成ソフト７３に従って、１つの動画ファイル１２４に対して、各商品毎に広告コンテンツ２２２のＵＲＬを登録することができる。また、動画クリエータは、動画ファイル１２４のＸＭＬ領域に、後述するＱＲコードを表示させるタイミングを、そのＱＲコードに対応したＵＲＬに関連付けて設定することができる。
【００３２】
また、動画ファイル１２４は、更に、動画データが格納された領域（以下、「動画レイヤー」という）とは別のデータ領域（以下、「ＱＲレイヤー」という）に、後述する画像データとしてのＱＲコード１２４２を格納し得る。
【００３３】
なお、動画ファイル１２４によって再生される動画は、一定時間毎に静止画が更新されるものであってもよい。
（ディスク装置１２に動画ファイル１２４が蓄積される流れについて）
以下、コンテンツプロバイダが運営するサーバ装置１のディスク装置１２に動画ファイル１２４が蓄積される流れを説明する。
【００３４】
ある商品の宣伝を行うことを考えている広告主は、コンテンツプロバイダに、サーバ装置１が配信する動画ファイル１２４への該商品の宣伝の組み込みを依頼する。すると、コンテンツプロバイダは、自ら作成した動画ファイル１２４への商品の宣伝を組み込む動画クリエータを募る。これに応募した動画クリエータは、動画ファイル作成ソフト７３によって作成した動画ファイル１２４に、広告主が宣伝している商品が掲載されているホームページのＵＲＬ（広告コンテンツ２２２のＵＲＬ）を、登録する。なお、動画クリエータは、作成した動画ファイル１２４において広告主が宣伝している商品が表示されるタイミングに合わせて後述するＱＲコードを表示させるために、当該ＱＲコードの表示タイミングを、そのＱＲコードに対応したＵＲＬに関連付けて、設定する。そして、動画クリエータは、この状態で、動画ファイル１２４を、動画クリエータ端末７からサーバ装置１へ送信する。
【００３５】
このようにして、サーバ装置１のディスク装置１２には、広告コンテンツ２２２のＵＲＬが登録された動画ファイル１２４が蓄積されていく。
【００３６】
また、動画クリエータは、予め宣伝しようとする商品を決めている訳ではなく、自己が作成する動画に合う商品があれば宣伝してもよいと考えているだけの場合もある。この場合には、動画クリエータは、広告コンテンツ２２２を特定していないので、特定のＵＲＬの代わりに、動画ファイル１２４に対して、自動付与設定を行う。そして、動画クリエータは、この状態で、動画ファイル１２４を、動画クリエータ端末７からサーバ装置１へ送信する。その結果、サーバ装置１のディスク装置１２には、自動付与設定を含む動画ファイル１２４も蓄積されていく。
【００３７】
なお、商品宣伝を望まない動画クリエータが作成した動画ファイル１２４は、上述したＵＲＬや自動付与設定を含まないが、このような動画ファイル１２４もディスク装置１２に蓄積されてもよい。
（動画ファイル選択処理）
次に、本実施形態による広告提供装置におけるユーザ端末３のクライアントソフト３３による処理について、図２のフローチャート，及び図５に示す本実施形態の概念図を参照して、以下に詳細に説明する。
【００３８】
まず最初に、ユーザは、ユーザ端末３の入力装置３４を操作して、クライアントソフト３３を起動する（Ｓ００１）。すると、ユーザ端末３からサーバ装置１へ、動画ファイル１２４の一覧を要求するメッセージが送信される（Ｓ００２）。
【００３９】
なお、このクライアントソフト３３は、インストール時において、サーバ装置１から動画ファイル１２４をダウンロードすることができる正規ユーザであるかを認証するために、視聴者ＩＤ（ユーザを識別するためのＩＤであり、各ユーザ端末１のクライアントソフト３３毎に独立して付与されるＩＤ）をディスク装置３２内に記憶させている。また、ユーザ端末３は、動画ファイル１２４の一覧を要求するメッセージ送信を行うと同時に、ディスク装置３２に記憶されているユーザの視聴者ＩＤをサーバ装置１へ送信する。
【００４０】
また、クライアントソフト３３は、動画ファイル１２４の一覧を要求するメッセージに応じてサーバ装置１から動画ファイル１２４の一覧を示す情報が送信されたときには、ユーザ端末３のディスプレイ３1にサーバ装置１にある動画ファイル１２４の一覧を表示させ、何れかの動画ファイル１２４が選択されるのを待つ（Ｓ００３）。
【００４１】
その後、動画ファイル１２４を選択する指示が入力装置３４から入力された場合には、クライアントソフト３３は、選択された動画ファイル１２４のリクエストをサーバ装置１へ送信する（Ｓ００４）。
（サーバ装置１の各プログラムによる処理）
次に、本実施形態による広告提供装置におけるサーバ装置１の各プログラムによる処理について、図３のフローチャート，及び図５に示す本実施形態の概念図を参照して、以下に詳細に説明する。
【００４２】
まず最初に、サーバ装置１は、ユーザ端末３から動画ファイル１２４の一覧を要求するメッセージを受信したときには、コンテンツサーバプログラム１２０に従って、サーバ装置１のディスク装置１２内に格納されている動画ファイル１２４のタイトル等の情報を全て抽出し、動画ファイル１２４の一覧をユーザ端末３へ送信し（Ｓ０１１）、ユーザ端末３から動画ファイル１２４のリクエストを待つ（ユーザによっていずれかの動画ファイル１２４が選択されるのを待つ）。
【００４３】
次のＳ０１２では、サーバ装置１は、ユーザ端末３から動画ファイル１２４を要求するリクエストを受信したときには、コンテンツサーバプログラム１２０に従って、リクエストされた動画ファイル１２４をディスク装置１２から抽出するとともに、この動画ファイル１２４（ＸＭＬ領域）に広告コンテンツ２２２のＵＲＬが登録されているか否かを判定する。
【００４４】
このＳ０１２において、動画ファイル１２４に広告コンテンツ２２２のＵＲＬが登録されていると判定された場合には、サーバ装置１は、コンテンツサーバプログラム１２０に従って、そのＵＲＬに該当する外部サーバ装置２に対して、ＵＲＬに相当する広告コンテンツ２２２が実在するかを問い合わせるリクエストを送信する（Ｓ０１３）。なお、動画ファイル１２４に複数の広告コンテンツ２２２のＵＲＬが登録されている場合には、各ＵＲＬ毎に、該当する外部サーバ装置２に対して、同様の問い合わせを行う。
【００４５】
ここで、サーバ装置１によるS０１３の処理が行われたときに外部サーバ装置２によって行われる処理を説明する。
【００４６】
外部サーバ装置２は、サーバ装置１から広告コンテンツ２２２が実在するかを問い合わせるリクエストを受信したときには、広告サーバプログラム２２１に従って、自らのディスク装置２２内に対応する広告コンテンツ２２２があるかを確認する。そして、外部サーバ装置２は、ディスク装置２２内に該当する広告コンテンツ２２２があることを確認した場合には、サーバ装置１に対して広告が実在することを示すメッセージを送信する。また、外部サーバ装置２は、ディスク装置２２内に該当する広告コンテンツ２２２があることが確認できない場合には、サーバ装置１に対して広告が実在しないことを示すメッセージを送信する。
【００４７】
以下、図３のフローチャートを参照して、サーバ装置１による処理の説明に戻る。
【００４８】
サーバ装置１は、動画ファイル１２４に登録されていたＵＲＬに広告が実在することを示すメッセージを外部装置２から受信したときには、次のＳ０１４へ処理を進める。なお、サーバ装置１は、このＳ０１３において、動画ファイル１２４に登録されていたＵＲＬに相当する広告が実在しないことを示すメッセージを外部サーバ装置２（全ての外部サーバ装置２）から受信したときには、動画ファイル１２４をそのままユーザ端末３へ送信する（Ｓ０１７）。
【００４９】
なお、動画ファイル１２４に複数の広告が登録されている場合には、一部のＵＲＬには広告が実在し、残りのＵＲＬには広告が実在しない場合もあり得る。この場合には、サーバ装置１は、広告が実在することを示すメッセージと、広告が実在しないことを示すメッセージとを両方受信することになる。このときには、実在しない広告コンテンツ２２２のＵＲＬを動画ファイル１２４から削除して、処理をＳ０１４へ進める。
【００５０】
次のＳ０１４では、サーバ装置１は、個人認証・特定サーバプログラム１２１に従って、ユーザ端末３から送信された視聴者ＩＤに基づいて個人認証を行い、動画ファイル１２４を要求したユーザを特定する。さらに、サーバ装置１は、個人認証・特定サーバプログラム１２１に従って、動画ファイル１２４から動画クリエータのクリエータＩＤを抽出し、該動画ファイル１２４を作成した動画クリエータを特定する。
【００５１】
次のＳ０１５では、サーバ装置１は、ＱＲ作成サーバプログラム１２２に従って、Ｓ０１４で特定した視聴者ＩＤ，クリエータＩＤ，及び、動画ファイル１２４に登録されている広告コンテンツ２２２のＵＲＬに基づいて、これらの情報を含むＱＲコードの画像データとしてのＱＲコード１２４２を、作成する。なお、サーバ装置１は、１つの動画ファイル１２４中に複数の広告コンテンツ２２２のＵＲＬが含まれる場合には、各広告コンテンツ２２２のＵＲＬ毎に、上記各情報を含むＱＲコード１２４２を、作成する。
【００５２】
次のＳ０１６では、サーバ装置１は、動画作成サーバプログラム１２３に従って、Ｓ０１５で作成したＱＲコード１２４２を動画ファイル１２４に組み込む。具体的には、サーバ装置１は、作成したＱＲコード１２４２を、動画ファイル１２４のＱＲレイヤーに格納する。以下、図６を参照して、ＱＲコード１２４２を動画ファイル１２４に組み込む処理を説明する。
【００５３】
図６は、動画データとＱＲコード１２４２とが動画ファイル１２４に格納される様子を示す説明図である。この図６に示すように、ＱＲ作成サーバプログラム１２２（図６では、便宜上「ＱＲ作成サーバ」として示す）に従って作成されたＱＲコード１２４２は、動画ファイル１２４中のＱＲレイヤーに格納される。また、動画ファイル１２４の動画データ自体は、サーバ装置１のディスク装置１２（図６では、便宜上「コンテンツサーバ」として示す）に蓄積された当初の状態のまま、動画レイヤーにそのまま存在する。
【００５４】
そして、サーバ装置１は、動画作成サーバプログラム１２３に従って、動画ファイル１２４のＸＭＬ領域を読み込んで、動画クリエータが動画ファイル１２４作成時に設定したＱＲコードを表示させるべきタイミングを特定し、そのタイミングに合わせてＱＲコード１２４２を表示させるように、ＸＭＬ領域の登録内容を変更する。以下、この処理によってＱＲコード１２４２を表示させるタイミングが設定された動画ファイル１２４について、図７を参照して説明する。
【００５５】
図７は、ＱＲコード１２４２の表示タイミングが設定された動画ファイル１２４のデータ構造を示す説明図である。なお、この図７では、図面の左（ヘッダー）から右に向かうにつれて動画ファイル１２４の再生時間が進むことを示している。
【００５６】
この図７に示すように、動画ファイル１２４には、動画ファイル１２４の再生時間と対応させて、ＱＲコード１２４２を表示させる期間（ＱＲコード１２４２の表示を開始する時間と表示を終了する時間）が、ＱＲコードを表示させるべきタイミングとして、設定されている（例えば、１’５５’２０〜２’０１’０２の期間等）。なお、図７には元の動画（動画データの再生画像）とＱＲコード１２４２とが同時に表示されている様子が示されているが、ＱＲコードを表示させるべきタイミングが設定されていない期間（例えば、２’０１’０２〜１０’１７’００の期間等）は、ＱＲコード１２４２は表示されず、元の動画のみが表示される。また、ＱＲコード１２４２の表示位置は、ＸＭＬ領域の登録内容に応じて自由に設定することができる。例えば、図４（ａ），図７に示すように、動画データによる画像の右下の位置に、対応したＱＲコード１２４２を表示（貼り付ける）するように設定することができる。
【００５７】
更に、サーバ装置１は、動画作成サーバプログラム１２３に従って、ＱＲコード１２４２が表示された時点での動画のイメージを静止画像として動画ファイル１２４の再生終了時に表示させる旨の設定を、動画ファイル１２４のＸＭＬ領域の登録する。
【００５８】
但し、動画ファイル１２４に複数のＱＲコードを夫々表示させるべき複数のタイミングが設定されている場合には、各タイミングでの静止画像（ＱＲコード１２４２を含む）のサムネイルを動画ファイル１２４の再生終了時に一覧表示させる旨の設定を、動画ファイル１２４のＸＭＬ領域の登録する。なお、このサムネイルには、そのサムネイルが携帯端末４上で選択された場合に、そのサムネイルに対応した静止画像を表示させるようにリンクが設定されている。
【００５９】
次のＳ０１７では、サーバ装置１は、Ｓ０１６でＱＲコード１２４２が組み込まれた動画ファイル１２４をユーザ端末１へ送信し、一連の処理を終了する。
【００６０】
また、サーバ装置１は、Ｓ０１２において、コンテンツサーバプログラム１２０に従って、動画ファイル１２４に広告コンテンツ２２２のＵＲＬが登録されていないと判定した場合には、処理をＳ０１８に進める。
【００６１】
このＳ０１８では、サーバ装置１は、コンテンツサーバプログラム１２０に従って、動画ファイル１２４に自動付与設定がされているかを判定して、自動的に広告を付与するか否かを判定する。
【００６２】
このＳ０１８において、動画ファイル１２４に自動付与設定がされていると判定された場合には、サーバ装置１は、コンテンツサーバプログラム１２０に従って、動画ファイル１２４の形態素解析を行う（Ｓ０１９）。なお、ここでの形態素解析とは、例えば、動画ファイル１２４の動画中に表示される商品の商品名を抽出し、その商品を製造，販売している広告主のホームページ（広告コンテンツ２２２）のＵＲＬをインターネット上から検索することを意味している。このＳ０１９において、形態素解析によって広告コンテンツ２２２のＵＲＬが見つかった場合には、サーバ装置１は、そのＵＲＬを動画ファイル１２４に登録し、処理をＳ０１３に進める。なお、サーバ装置１は、形態素解析によって複数の商品の商品名が抽出された場合には、各商品毎に広告コンテンツ２２２のＵＲＬを検索するようにしてもよい。
【００６３】
また、Ｓ０１８において、動画ファイル１２４に自動付与設定設定がされていないと判定された場合には、サーバ装置１は、そのまま動画ファイル１２４をユーザ端末１へ送信して一連の処理を終了する（Ｓ０１７）。
（ユーザ端末３から携帯端末４への動画ファイル１２４のダウンロード処理）
以上のようにＱＲコード１２４２が組み込まれた動画ファイル１２４をユーザ端末３にダウンロードしたユーザは、ユーザ端末３と携帯端末４とをクレードル５を介して接続して、動画ファイル１２４を携帯端末４に転送する（なお、ユーザ端末３から携帯端末４へ動画ファイル１２４を転送できるデバイスであれば、クレードル５以外のデバイスを用いてもよい）。
【００６４】
このように、携帯端末４に動画ファイル１２４を転送しておけば、外出先（ユーザ端末１を操作できない場合）でも、動画ファイル１２４を再生して動画を見ることができる。
【００６５】
また、本実施形態によると、動画ファイル１２４に広告コンテンツ２２２が１つだけ登録されている場合には、動画ファイル１２４の再生後には、図４（ａ）に示すように、商品の画像にＱＲコード１２４２が組み込まれた静止画像１２４３が表示される。また、動画ファイル１２４に広告コンテンツ２２２が複数登録されている場合には、図４（ｂ）に示すように、各商品に対応したサムネイル１２４４〜１２４７の一覧が、表示される。
【００６６】
そのため、ユーザは、外出先にて動画ファイル１２４で示されていた商品の情報を知りたいと思ったときには、動画ファイル１２４の再生中（又は再生後）に表示されるＱＲコード１２４２を携帯電話６（ＱＲコード読み取り機能を持つ携帯電話）で読み取らせる。すると、携帯電話６は、ＱＲコード１２４２にコード化されている広告コンテンツ２２２のＵＲＬに基づいて、そのＵＲＬが示す広告コンテンツ２２２にアクセスし、広告コンテンツ２２２を表示する。よって、ユーザは、インターネットに接続することができない携帯端末４で動画ファイル１２４を再生したとしても、その動画ファイル１２４中で紹介されている商品の広告を携帯電話６によって見ることができる。
【００６７】
以上に説明した本実施形態の広告提供装置によると、コンテンツプロバイダは、インターネットに接続することができない携帯端末４であっても、ユーザを広告コンテンツ２２２に導くことができるため、携帯端末４を利用することを前提とした動画配信サイトを運営したとしても、広告主との間で有料で広告掲載を行う契約を結ぶことができる。換言すれば、広告主からすれば、インターネットに接続することができない携帯端末４を使用するユーザに対しても有効な広告効果を期待できる。
【００６８】
また、本実施形態によると、動画ファイル１２４において、動画データとＱＲコード１２４２とを別々のレイヤー（データ領域）に格納しているため、広告コンテンツ２２２のＵＲＬのみが変更された場合には、動画データを作り直す必要がない。そのため、コンテンツプロバイダは、広告主が広告コンテンツ２２２のＵＲＬの変更を依頼してきた場合には、動画ファイル１２４のＸＭＬ領域に登録された広告コンテンツ２２２のＵＲＬを変更するだけで、新たなＱＲコード１２４２が貼り付けられた動画ファイル１２４を配布できるようになる。
【００６９】
また、本実施形態によると、動画クリエータは、自らが作成した動画ファイル１２４の動画データには何ら手を加えなくても、ＸＭＬ領域に広告コンテンツ２２２のＵＲＬを登録するとともに、広告の対象となる商品が表示される再生時間に対応させて、ＱＲコードを表示させるべきタイミングを設定するだけ、動画ファイル１２４に広告を付与することができる。そのため、動画データ中に商品の広告を紹介する場面を組み込むなどの余計な気遣いをする必要がなくなり、動画データを自由に創作することができるようになる。
【００７０】
また、本実施形態によると、ユーザは、動画ファイル１２４を携帯端末４のディスク装置４２に保存することができるため、同じ動画ファイル１２４を何度も繰り返し再生することができる。そのため、以前に見た動画ファイル１２４が後で気になったときには、再び動画ファイル１２４を再生して見直すこともできる。
【００７１】
さらに、動画ファイル１２４の再生後には、各商品の紹介された静止画像がＱＲコード１２４２とともに液晶４１に表示されているため、動画ファイル１２４の再生後に動画ファイル中で紹介された商品の広告を見たくなったとしても、すぐに携帯電話６によってＱＲコードを読み込ませることができる。なお、液晶４１にＱＲコード１２４２を含む静止画像のサムネイルの一覧が表示されている場合（図４（ｂ）参照）には、ＱＲコード１２４２の大きさが小さすぎて携帯電話６では読み込むことができない場合がある。この場合には、ユーザが見たい商品が表示されているサムネイルを選択すれば、対応した静止画像が拡大されて表示されるため（図４（ａ）参照）、携帯電話６にてＱＲコード１２４２を読み込ませることができる。
【００７２】
なお、上述の実施形態ではＱＲコード１２４２を読み込んだ携帯電話６を広告コンテンツ２２２へ直接アクセスさせる場合について説明したが、本発明による広告提供装置は、ＱＲコード１２４２を読み込んだ携帯電話６を一旦サーバ装置１へアクセスさせてから、リダイレクトで広告コンテンツ２２２へ導くように構成されてもよい。この場合には、携帯電話６からサーバ装置１へアクセスするときに、ＱＲコード１２４２に含まれる情報（視聴者ＩＤ，クリエータＩＤ，広告コンテンツ２２２のＵＲＬ）が携帯電話６からサーバ装置１へ送信される。
【００７３】
このように構成されると、コンテンツプロバイダは、携帯端末６から送信されてきた視聴者ＩＤに基づいて、サーバ装置１からダウンロードした動画ファイル１２４を見たユーザを特定することができる。そのため、コンテンツプロバイダは、動画ファイル１２４を見てから広告コンテンツ２２２にアクセスした人数を把握することができる。即ち、動画ファイル１２４による広告効果を正確に知ることができる。よって、コンテンツプロバイダは、広告主に対して、動画ファイル１２４を見たことによって広告コンテンツ２２２へアクセスした件数に応じた報酬（動画ファイル１２４による広告効果に応じた報酬）を請求し得る契約を結ぶことができる。
【００７４】
また、このように構成されると、コンテンツプロバイダは、携帯端末６から送信されてきたクリエータIDに基づいて、動画クリエータの人気（アクセス件数）も調べることができる。よって、コンテンツプロバイダは、動画ファイル１２４を見たことによって広告コンテンツ２２２へアクセスしたユーザの人数に応じて、その動画ファイル１２４を作成した動画クリエータに報酬（広告主から支払われる報酬の一部）を支払う契約を結べば、広告効果の高い動画ファイル１２４を作成した動画クリエータに対して高い報酬を約束できるため、動画クリエータの制作意欲を高めることもできる。
【図面の簡単な説明】
【００７５】
【図１】本実施形態によるネットワークシステムのブロック図
【図２】本実施形態によるユーザ端末３での処理を示すフローチャート
【図３】本実施形態によるサーバ装置１での処理を示すフローチャート
【図４】携帯端末４の説明図
【図５】本発明の一実施形態としてのネットワークシステムの模式図
【図６】動画データとＱＲコード１２４２とが動画ファイル１２４に格納される様子を示す説明図
【図７】ＱＲコード１２４２の表示タイミングが設定された動画ファイル１２４のデータ構造を示す説明図
【符号の説明】
【００７６】
１                  サーバ装置
２                  外部サーバ装置
３                  ユーザ端末
４                  携帯端末
５                  クレードル
６                  携帯電話
７                  動画クリエータ端末
１１，２１，３０，７１  ＣＰＵ
１２，２２，３２，７２  ディスク装置
１２０              コンテンツサーバプログラム
１２１              個人認証・特定サーバプログラム
１２２              ＱＲ作成サーバプログラム
１２３              動画作成サーバプログラム
１２４              動画ファイル
２２１              広告サーバプログラム
２２２              広告コンテンツ
１２４２            ＱＲコード
【図１】
2007233844.tif 000003
【図２】
2007233844.tif 000004
【図３】
2007233844.tif 000005
【図４】
2007233844.tif 000006
【図５】
2007233844.tif 000007
【図６】
2007233844.tif 000008
【図７】
2007233844.tif 000009